(57)【要約】開示の態様にしたがって、無線通信のための方法、装置、およびコンピュータ・プログラム製品が提供される。この方法、装置、およびコンピュータ・プログラム製品は、モバイル終端回路切換フォールバック処理を実施するために、デバイスが、第１のセルおよび第１の位置から、第２のセルおよび第２のセルへ切り換わっていることを判定し、通信のためのペンディングのデータ・パケットを示すフラグを含むルーティング・エリア更新メッセージを生成し、生成されたルーティング・エリア更新メッセージを送信する、ように構成されうる。
2013546207.tif 000002
【特許請求の範囲】
【請求項１】
無線通信のための方法であって、
モバイル終端回路切換フォールバック処理を実施するために、デバイスが、第１のセルおよび第１の位置から、第２のセルおよび第２の位置へ切り換わっていることを判定することと、
通信のためのペンディングのデータ・パケットを示すフラグを含むルーティング・エリア更新メッセージを生成することと、
前記生成されたルーティング・エリア更新メッセージを送信することと、
を備える方法。
【請求項２】
前記デバイスは、前記第１のセルに関連付けられた第１のモバイル切換センタと、前記第２のセルに関連付けられた第２のモバイル切換センタと通信するように構成された、請求項１に記載の方法。
【請求項３】
前記第２のセルによる前記デバイスへの接続を解放することと、
前記第２のセルを介して前記デバイスへページング・メッセージを送信することと、
前記デバイスの前記第２のセルへの接続を確立することと、
コール・セットアップ手順を実行することと、
をさらに備える請求項１に記載の方法。
【請求項４】
前記第２のセルによる前記デバイスへの接続の解放をある期間遅らせることと、
コール・セットアップ手順を実行することと、
をさらに備える請求項１に記載の方法。
【請求項５】
前記第１のセルに関連付けられた第１のモバイル切換センタと、前記第２のセルに関連付けられた第２のモバイル切換センタと、ゲートウェイ・モバイル切換センタとのうちの少なくとも１つと、１または複数のローミング再試行メッセージを交換すること、をさらに備える請求項１に記載の方法。
【請求項６】
前記１または複数のローミング再試行メッセージは、前記デバイスが、前記第２のモバイル切換センタに関連付けられていることを示す、請求項５に記載の方法。
【請求項７】
前記第２のモバイル切換センタは、ペンディングのモバイル終端コールのためのインジケーションを受信する、請求項５に記載の方法。
【請求項８】
前記デバイスは、通信のためのペンディングのデータ・パケットが存在すると前記フラグが示す場合であっても、通信のためのペンディングのデータ・パケットを有していない、請求項１に記載の方法。
【請求項９】
前記第１のセルは、ロング・ターム・イボリューション（ＬＴＥ）ベースのセルである、請求項１に記載の方法。
【請求項１０】
前記第２のセルは、ユニバーサル・モバイル・テレコミュニケーション・システム地上ラジオ・アクセス・ネットワーク（ＵＴＲＡＮ）ベースのセルである、請求項１に記載の方法。
【請求項１１】
無線通信のための装置であって、
モバイル終端回路切換フォールバック処理を実施するために、デバイスが、第１のセルおよび第１の位置から、第２のセルおよび第２の位置へ切り換わっていることを判定し、
通信のためのペンディングのデータ・パケットを示すフラグを含むルーティング・エリア更新メッセージを生成し、
前記生成されたルーティング・エリア更新メッセージを送信する、
ように構成された処理システムを備える装置。
【請求項１２】
前記デバイスは、前記第１のセルに関連付けられた第１のモバイル切換センタと、前記第２のセルに関連付けられた第２のモバイル切換センタと通信するように構成された、請求項１１に記載の装置。
【請求項１３】
前記処理システムはさらに、
前記第２のセルによる前記デバイスへの接続を解放し、
前記第２のセルを介して前記デバイスへページング・メッセージを送信し、
前記デバイスの前記第２のセルへの接続を確立し、
コール・セットアップ手順を実行する
ように構成された、請求項１１に記載の装置。
【請求項１４】
前記処理システムはさらに、
前記第２のセルによる前記デバイスへの接続の解放をある期間遅らせ、
コール・セットアップ手順を実行する
ように構成された、請求項１１に記載の装置。
【請求項１５】
前記処理システムはさらに、前記第１のセルに関連付けられた第１のモバイル切換センタと、前記第２のセルに関連付けられた第２のモバイル切換センタと、ゲートウェイ・モバイル切換センタとのうちの少なくとも１つと、１または複数のローミング再試行メッセージを交換するように構成された、請求項１１に記載の装置。
【請求項１６】
前記１または複数のローミング再試行メッセージは、前記デバイスが、前記第２のモバイル切換センタに関連付けられていることを示す、請求項１５に記載の装置。
【請求項１７】
前記第２のモバイル切換センタは、ペンディングのモバイル終端コールのためのインジケーションを受信する、請求項１５に記載の装置。
【請求項１８】
前記デバイスは、通信のためのペンディングのデータ・パケットが存在すると前記フラグが示す場合であっても、通信のためのペンディングのデータ・パケットを有していない、請求項１１に記載の装置。
【請求項１９】
前記第１のセルは、ロング・ターム・イボリューション（ＬＴＥ）ベースのセルである、請求項１１に記載の装置。
【請求項２０】
前記第２のセルは、ユニバーサル・モバイル・テレコミュニケーション・システム地上ラジオ・アクセス・ネットワーク（ＵＴＲＡＮ）ベースのセルである、請求項１１に記載の装置。
【請求項２１】
無線通信のための装置であって、
モバイル終端回路切換フォールバック処理を実施するために、デバイスが、第１のセルおよび第１の位置から、第２のセルおよび第２の位置へ切り換わっていることを判定する手段と、
通信のためのペンディングのデータ・パケットを示すフラグを含むルーティング・エリア更新メッセージを生成する手段と、
前記生成されたルーティング・エリア更新メッセージを送信する手段と、
を備える装置。
【請求項２２】
前記デバイスは、前記第１のセルに関連付けられた第１のモバイル切換センタと、前記第２のセルに関連付けられた第２のモバイル切換センタと通信するように構成された、請求項２１に記載の装置。
【請求項２３】
前記第２のセルによる前記デバイスへの接続を解放する手段と、
前記第２のセルを介して前記デバイスへページング・メッセージを送信する手段と、
前記デバイスの前記第２のセルへの接続を確立する手段と、
コール・セットアップ手順を実行する手段と、
をさらに備える請求項２１に記載の装置。
【請求項２４】
前記第２のセルによる前記デバイスへの接続の解放をある期間遅らせる手段と、
コール・セットアップ手順を実行する手段と、
をさらに備える請求項２１に記載の装置。
【請求項２５】
前記第１のセルに関連付けられた第１のモバイル切換センタと、前記第２のセルに関連付けられた第２のモバイル切換センタと、ゲートウェイ・モバイル切換センタとのうちの少なくとも１つと、１または複数のローミング再試行メッセージを交換する手段、をさらに備える請求項２１に記載の装置。
【請求項２６】
前記１または複数のローミング再試行メッセージは、前記デバイスが、前記第２のモバイル切換センタに関連付けられていることを示す、請求項２５に記載の装置。
【請求項２７】
前記第２のモバイル切換センタは、ペンディングのモバイル終端コールのためのインジケーションを受信する、請求項２５に記載の装置。
【請求項２８】
前記デバイスは、通信のためのペンディングのデータ・パケットが存在すると前記フラグが示す場合であっても、通信のためのペンディングのデータ・パケットを有していない、請求項２１に記載の装置。
【請求項２９】
前記第１のセルは、ロング・ターム・イボリューション（ＬＴＥ）ベースのセルである、請求項２１に記載の装置。
【請求項３０】
前記第２のセルは、ユニバーサル・モバイル・テレコミュニケーション・システム地上ラジオ・アクセス・ネットワーク（ＵＴＲＡＮ）ベースのセルである、請求項２１に記載の装置。
【請求項３１】
コンピュータ・プログラム製品であって、
モバイル終端回路切換フォールバック処理を実施するために、デバイスが、第１のセルおよび第１の位置から、第２のセルおよび第２の位置へ切り換わっていることを判定することと、
通信のためのペンディングのデータ・パケットを示すフラグを含むルーティング・エリア更新メッセージを生成することと、
前記生成されたルーティング・エリア更新メッセージを送信することと
を、装置に対して行わせるように実行可能なコードを備えるコンピュータ読取可能な媒体を備える、コンピュータ・プログラム製品。
【請求項３２】
前記デバイスは、前記第１のセルに関連付けられた第１のモバイル切換センタと、前記第２のセルに関連付けられた第２のモバイル切換センタと通信するように構成された、請求項３１に記載のコンピュータ・プログラム製品。
【請求項３３】
前記コンピュータ読取可能な媒体はさらに、
前記第２のセルによる前記デバイスへの接続を解放することと、
前記第２のセルを介して前記デバイスへページング・メッセージを送信することと、
前記デバイスの前記第２のセルへの接続を確立することと、
コール・セットアップ手順を実行することと
を、前記装置に対して行わせるように実行可能なコードを備える、請求項３１に記載のコンピュータ・プログラム製品。
【請求項３４】
前記コンピュータ読取可能な媒体はさらに、
前記第２のセルによる前記デバイスへの接続の解放をある期間遅らせることと、
コール・セットアップ手順を実行することと
を、前記装置に対して行わせるように実行可能なコードを備える、請求項３１に記載のコンピュータ・プログラム製品。
【請求項３５】
前記コンピュータ読取可能な媒体はさらに、
前記第１のセルに関連付けられた第１のモバイル切換センタと、前記第２のセルに関連付けられた第２のモバイル切換センタと、ゲートウェイ・モバイル切換センタとのうちの少なくとも１つと、１または複数のローミング再試行メッセージを交換すること、
を前記装置に対して行わせるように実行可能なコードを備える、請求項３１に記載のコンピュータ・プログラム製品。
【請求項３６】
前記１または複数のローミング再試行メッセージは、前記デバイスが、前記第２のモバイル切換センタに関連付けられていることを示す、請求項３５に記載のコンピュータ・プログラム製品。
【請求項３７】
前記第２のモバイル切換センタは、ペンディングのモバイル終端コールのためのインジケーションを受信する、請求項３５に記載のコンピュータ・プログラム製品。
【請求項３８】
前記デバイスは、通信のためのペンディングのデータ・パケットが存在すると前記フラグが示す場合であっても、通信のためのペンディングのデータ・パケットを有していない、請求項３１に記載のコンピュータ・プログラム製品。
【請求項３９】
前記第１のセルは、ロング・ターム・イボリューション（ＬＴＥ）ベースのセルである、請求項３１に記載のコンピュータ・プログラム製品。
【請求項４０】
前記第２のセルは、ユニバーサル・モバイル・テレコミュニケーション・システム地上ラジオ・アクセス・ネットワーク（ＵＴＲＡＮ）ベースのセルである、請求項３１に記載のコンピュータ・プログラム製品。
【発明の詳細な説明】
【関連出願に対する相互参照】
【０００１】
本願は、全体が参照によって本明細書に明確に組み込まれている２０１０年６月２３日出願の「回路切換フォールバック信頼性を改善するための方法および装置」（Method and Apparatus for Improving Circuit Switched Fallback Reliability）と題された米国仮出願６１／３５７，８９５号に対する優先権を主張する。
【０００２】
本願は、全体が参照によって本明細書に明確に組み込まれている２０１０年６月２１日出願の「無線通信システムにおける回路切換フォールバック信頼性のためのシステム、装置、および方法」（System, Apparatus, and Method for Circuit Switched Fallback Reliability in Wireless Communication Systems）と題された米国出願１３／１６５，６９４号の利益を主張する。
【技術分野】
【０００３】
本開示は、一般に、通信に関し、さらに詳しくは、ロング・ターム・イボリューション（ＬＴＥ）ネットワークにおける回路切換フォールバック（ＣＳＦＢ）をサポートするための技術に関する。
【背景技術】
【０００４】
無線通信システムは、例えば電話技術、ビデオ、データ、メッセージング、およびブロードキャストのようなさまざまな通信サービスを提供するように広く開発された。一般に、無線通信システムは、利用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、時分割同時符号分割多元接続（ＴＤ−ＳＣＤＭＡ）システム、および、ワールド・ワイド・インタオペラビリティ・フォー・マクロウェーブ・アクセス（ＷｉＭＡＸ）を含む。
【０００５】
無線通信システムのために、これら多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対するエンハンスメントのセットを提供する。ＬＴＥは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。しかしながら、モバイル・ブロードバンド・アクセスに対する需要が増加し続けているので、ＬＴＥ技術におけるさらなる改良の必要性が存在する。好適には、これらの改善は、これらの技術を適用するその他の多元接続技術および通信規格に適用可能であるべきである。
【発明の概要】
【０００６】
本開示の態様によれば、無線通信のための方法は、モバイル終端回路切換フォールバック処理を実施するために、デバイスが、第１のセルおよび第１の位置から、第２のセルおよび第２の位置へ切り換わっていることを判定することと、通信のためのペンディングのデータ・パケットを示すフラグを含むルーティング・エリア更新メッセージを生成することと、生成されたルーティング・エリア更新メッセージを送信することと、を備える。
【０００７】
本開示の態様によれば、無線通信のための装置は、モバイル終端回路切換フォールバック処理を実施するために、デバイスが、第１のセルおよび第１の位置から、第２のセルおよび第２の位置へ切り換わっていることを判定し、通信のためのペンディングのデータ・パケットを示すフラグを含むルーティング・エリア更新メッセージを生成し、生成されたルーティング・エリア更新メッセージを送信する、ように構成された処理システムを備える。
【０００８】
本開示の態様によれば、無線通信のための装置は、モバイル終端回路切換フォールバック処理を実施するために、デバイスが、第１のセルおよび第１の位置から、第２のセルおよび第２の位置へ切り換わっていることを判定する手段と、通信のためのペンディングのデータ・パケットを示すフラグを含むルーティング・エリア更新メッセージを生成する手段と、生成されたルーティング・エリア更新メッセージを送信する手段と、を備える。
【０００９】
本開示の態様によれば、コンピュータ・プログラム製品は、装置に対して、モバイル終端回路切換フォールバック処理を実施するために、デバイスが、第１のセルおよび第１の位置から、第２のセルおよび第２の位置へ切り換わっていることを判定させ、通信のためのペンディングのデータ・パケットを示すフラグを含むルーティング・エリア更新メッセージを生成させ、生成されたルーティング・エリア更新メッセージを送信させる、ように実行可能なコードを備えるコンピュータ読取可能な媒体を備える。
【図面の簡単な説明】
【００１０】
開示された態様は、同一符号が同一要素を示し、開示された態様を、限定することなく、例示するために提供される添付図面と連携して説明さるだろう。
【図１】図１は、本開示の態様にしたがう無線通信ネットワークを例示する図解を示す。
【図２】図２は、本開示の態様にしたがうアクセス・ネットワークを例示する図解を示す。
【図３】図３は、本開示の態様にしたがう多元接続無線通信システムの実施形態を例示する図解を示す。
【図４Ａ】図４Ａは、本開示の態様にしたがって、アクセス・ネットワークで使用するためのフレーム構造の例を例示する図解である。
【図４Ｂ】図４Ｂは、本開示の態様にしたがう、ロング・ターム・イボリューション（ＬＴＥ）ネットワークにおけるアップリンク（ＵＬ）のための典型的なフォーマットを示す。
【図４Ｃ】図４Ｃは、本開示の態様にしたがう、ユーザ・プレーンおよび制御プレーンのためのラジオ・プロトコル・アーキテクチャの例を例示する図解である。
【図５】図５は、本開示の態様にしたがう通信ネットワークの処理フローを例示する図解を示す。
【図６Ａ】図６Ａは、本開示の態様にしたがう無線ネットワークのさまざまなコール・フローを例示する図解を示す。
【図６Ｂ】図６Ｂは、本開示の態様にしたがう無線ネットワークのさまざまなコール・フローを例示する図解を示す。
【図７】図７は、本開示の態様にしたがう無線通信デバイスのアーキティクチャの例を例示する図解を示す。
【図８】図８は、本開示の態様にしたがう、無線通信システムにおける回路切換フォールバック（ＣＳＦＢ））の信頼性を改善するための方法の処理フローの実施形態を例示する図解である。
【図９】図９は、本開示の態様にしたがって、無線通信を容易にするように構成された装置の機能の実施形態を例示する図である。
【発明を実施するための形態】
【００１１】
添付図面とともに後述する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１２】
通信システムのいくつかの態様が、さまざまな装置および方法を参照して示されうる。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【００１３】
例として、要素、要素の任意の部分、または、要素の任意の組み合わせが、１または複数のプロセッサを含む「処理システム」を用いて実現されうる。プロセッサの例は、マイクロ・プロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、非一時的なコンピュータ読取可能な媒体でありうる。非一時的なコンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、および、コンピュータによってアクセスされうる命令群および／またはソフトウェアを格納するためのその他任意の適切な媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。当業者であれば、システム全体に課せられる全体的な設計制約および特定のアプリケーションに依存して、本開示の全体にわたって示されている機能を、どうやって最良に実施するかを認識するだろう。
【００１４】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、ＬＴＥに関して後述されており、ＬＴＥ用語が後述する説明の多くで使用される。
【００１５】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは現在、３ＧＰＰロング・ターム・イボリューション（ＬＴＥ）またはイボルブドＵＴＲＡにおけるアップリンク多元接続スキームのための動作前提である。
【００１６】
本開示の態様では、無線多元接続通信システムは、複数のモバイル端末のための通信を同時にサポートするように構成される。端末はおのおのの、順方向リンクおよび逆方向リンクによる送信を介して、１または複数の基地局と通信する。順方向リンクすなわちＤＬは、基地局から端末への通信リンクを称し、逆方向リンクすなわちＵＬは、端末から基地局への通信リンクを称する。この通信リンクは、単一入力単一出力、複数入力単一出力、あるいは、複数入力複数出力（ＭＩＭＯ）システムによって確立されうる。
【００１７】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上されたパフォーマンス（例えば、より高いスループット、および／または、より高い信頼性）を与えうる。
【００１８】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【００１９】
本明細書において提供されるように、本開示の態様は、回路切換フォールバック（ＣＳＦＢ）手順がロケーション・エリア（ＬＡ）変更に遭遇するシナリオにおいて、モバイル終端（ＭＴ）のためのページをユーザ機器（ＵＥ）が受信することを確実にすることによって、ＭＴ  ＣＳＦＢコールの信頼性を改善することに向けられている。
【００２０】
本開示の態様では、無線通信システムはＵＥを含んでおり、このＵＥは、第１のネットワークに関連付けられ、第２のネットワークからの追加のおよび／または異なるリソースにアクセスしうる。例えば、ＵＥは、ＬＴＥセルにキャンプ・オンされ、ＣＳベースのセルを介して音声コールにアクセスしうる。ＣＳベースのセルが、ＬＴＥセルに関連付けられたモバイル切換センタ（ＭＳＣ）以外のＭＳＣに関連付けられている場合、ページング通信がＵＥに到達することを確実にするための追加手順が使用されうる。ＭＳＣは、（例えば、同じ切換オフィスのように）物理的に同じ位置に存在しうるが、異なる地理的エリアへの有効通信範囲を提供しうる。これらのエリアは、ロケーション・エリア（ＬＡ）と称されうる。
【００２１】
例において、ＣＳＦＢ  ＵＥは、イボルブドＵＭＴＳ地上ラジオ・アクセス・ネットワーク（Ｅ−ＵＴＲＡＮ）に存在している間、ＭＴ  ＣＳＦＢコールのためのページを受信しうる。その後、ＵＥは、ＭＴコール・セットアップを実行するためにＵＴＲＡＮまたはＧＥＲＡＮへ移動されうる。しかしながら、最初にＵＥをページしたものとは異なるモバイル切換センタ（ＭＳＣ）によってターゲットＵＴＲＡＮ／ＧＥＲＡＮセルがサービス提供されていることをＵＥが認識した場合、ＵＥがページを喪失するリスクがある。いくつかの事例では、ＭＴコールが喪失されうる。信頼性を改善するために、本開示の態様によって、ＵＥは、ＭＴコールのためにＵＥが再ページされることを確証する際に、ＵＴＲＡＮ／ＧＥＲＡＮネットワークを支援できるようになる。
【００２２】
図１は、さまざまな装置を適用する無線ネットワーク・アーキテクチャ１００を例示する図解である。このネットワーク・アーキテクチャ１００は、イボルブド・パケット・システム（ＥＰＳ）１０１を含みうる。ＥＰＳ１０１は、１または複数のＵＥ１０２、イボルブドＵＭＴＳ地上ラジオ・アクセス・ネットワーク（Ｅ−ＵＴＲＡＮ）１０４、イボルブド・パケット・コア（ＥＰＣ）１１０、ホーム加入者サーバ（ＨＳＳ）１２０、およびオペレータのＩＰサービス１２２を含みうる。ＥＰＳは、例えばパケット切換コア（ＰＳコア）１２８、回路切換コア（ＣＳコア）１３４等のようなその他のアクセス・ネットワークと相互接続しうる。図示されるように、ＥＰＳは、パケット切換サービスを提供する。しかしながら、当業者が容易に認識するように、本開示にわたって示されているさまざまな概念は、例えばＣＳコア１３４に関連付けられたネットワークのように、回路切換サービスを提供するネットワークに拡張されうる。
【００２３】
ネットワーク・アーキテクチャ１００はさらに、パケット切換ネットワーク１０３および回線切換ネットワーク１０５を含みうる。実施では、パケット切換ネットワーク１０３は、基地局１０８、基地局コントローラ１２４、サービス提供ＧＰＲＳサポート・ノード（ＳＧＳＮ）１２６、ＰＳコア１２８、および結合ＧＰＲＳサービス・ノード（ＣＧＳＮ）１３０を含みうる。別の実施では、回線切換ネットワーク１０５は、基地局１０８、基地局コントローラ１２４、ＭＳＣ、ビジタ・ロケーション・レジスタ（ＶＬＲ）１３２、ＣＳコア１３４、およびゲートウェイ・モバイル切換センタ（ＧＭＳＣ）１３６を含みうる。
【００２４】
Ｅ−ＵＴＲＡＮ１０４は、イボルブド・ノードＢ(ｅＮＢ）１０６と、例えばパケットおよび回路切換ネットワークのように、基地局１０８を介して容易とされうるその他のネットワークへの接続を含みうる。ｅＮＢ１０６は、ＵＥ１０２向けのユーザ・プレーン・プロトコルおよび制御プレーン・プロトコルの終了を提供する。ｅＮＢ１０６は、Ｘ２インタフェース（すなわち、バックホール）を経由して他のｅＮＢ１０８に接続されうる。ｅＮＢ１０６はまた、当業者によって、基地局、基地トランシーバ局、ラジオ基地局、ラジオ・トランシーバ、トランシーバ機能、基本サービス・セット（ＢＳＳ）、拡張サービス・セット（ＥＳＳ）、またはその他いくつかの適切な用語として称されうる。ｅＮＢ１０６は、ＵＥ１０２のために、ＥＰＣ１１０にアクセス・ポイントを提供する。ＵＥ１０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他類似の機能デバイスを含む。ＵＥ１０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００２５】
ｅＮＢ１０６は、Ｓ１インタフェースによってＥＰＣ１１０に接続される。ＥＰＣ１１０は、モビリティ管理エンティティ（ＭＭＥ）１１２、その他のＭＭＥ１１４、サービス提供ゲートウェイ１１６、およびパケット・データ・ネットワーク（ＰＤＮ）ゲートウェイ１１８を含んでいる。ＭＭＥ１１２は、ＵＥ１０２とＥＰＣ１１０との間のシグナリングを処理する制御ノードである。一般に、ＭＭＥ１１２はベアラおよび接続管理を提供する。すべてのユーザＩＰパケットは、ＰＤＮゲートウェイ１１８に接続されているサービス提供ゲートウェイ１１６を介して転送される。ＰＤＮゲートウェイ１１８は、ＵＥにＩＰアドレス割当のみならず、その他の機能も提供する。ＰＤＮゲートウェイ１１８は、オペレータのＩＰサービス１２２に接続される。オペレータのＩＰサービス１２２は、インターネット、イントラネット、ＩＰマルチメディア・サブシステム（ＩＭＳ）、およびＰＳストリーミング・サービス（ＰＳＳ）を含む。
【００２６】
本開示の態様では、無線システム１００は、ＣＳフォールバック（ＣＳＦＢ）を容易にするようにイネーブルされうる。本明細書において使用されるように、ＣＳＦＢは、例えば、音声コール、ショート・メッセージ・サービス（ＳＭＳ）等のようなサービスを可能にするために、回路切換ＭＳＣ１３２とＬＴＥコア・ネットワーク１１０との間でシグナリング・チャネルを確立することを称しうる。このような態様では、ＵＥ１０２が、ＥＰＳ１０１に関連付けられ（例えば、ＬＴＥネットワーク１０１にキャンプされ）、モバイル終端（ＭＴ）コールのためのページをＬＴＥネットワーク１０１において受信するように登録された場合に、ＣＳＦＢがイネーブルされうる。動作中、ＵＥ１０２は、ＬＴＥネットワーク１０１でページを受信しうる。その後、ＵＥ１０２は、ＣＳコール・セットアップを実行するために、ＬＴＥネットワーク１０１によってＣＳベースのセル１０８（例えば、ＵＴＲＡＮセル、ＧＥＲＡＮセル等）へ移行されうる。実施では、ＣＳコール・セットアップは、ページ応答メッセージを用いて実行されうる。ＬＴＥネットワーク１０１によって実施されるように、ＣＳＦＢは、ＵＥ１０２が１つのセルにおいてＭＴコールのためのページを受信し、別のセルにおいてこのページに応答するというネイティブなＣＳベースのセル１０８（例えば、ＵＴＲＡＮ／ＧＥＲＡＮ）におけるレガシーＣＳコール・セットアップとは異なりうる。
【００２７】
一般に、ＣＳＦＢ対応のＵＥ１０２は、ＬＴＥネットワーク１０１にキャンプされている場合、３ＧＰＰ  ＭＳＣ１３２に接続されうる。この３ＧＰＰ  ＭＳＣ１３２は、例えばＬＡ１のような第１のロケーション・エリアにサービス提供しうる。前述したように、ＭＴ  ＣＳＦＢコール処理は、ページが受信されたＬＴＥネットワーク１０１から、ページ応答が送信されたＣＳベースのセル１０８（例えば、ＵＴＲＡＮセル、ＧＥＲＡＮセル等）へと移動されうる。
【００２８】
本開示の態様では、あるネットワーク境界領域では、ＬＴＥセル１０１から、ＵＥがＬＴＥを介して接続されているものとは異なるＭＳＣ（例えば、ＭＳＣ２）によってサービス提供されているＣＳベースのセル１０８へ移動されることが可能でありうる。したがって、ＵＥのロケーション・エリアは、ＬＡ２に変更されうる。このような態様では、ＬＡ２におけるＵＥ１０２によって送信されたページ応答は、ＬＡ１で受信されたページのために、例えばＭＳＣ２のような新たなＭＳＣによって適切に処理されないだろう。言い換えれば、ＬＴＥセル１０１にキャンプし、例えばＭＳＣ１のような第１のＭＳＣに関連付けられたＵＥが、ＭＴコールのためのページを受信し、その後、このページに応答できるようになる前に、ＵＥが、例えばＭＳＣ２のような新たなＭＳＣによってサポートされている新たなセルへ移動するようなモビリティ・イベントを経験する場合、ＭＳＣ２は、ページを認識していないので、ＵＥによってＭＳＣ２へ送信されたページ応答が適切に処理されないだろう。実施では、ＭＴコールが正しく処理されるために、ＵＥ１０２は、ＭＳＣ２によってＬＡ２において再びページされうる。ＭＳＣ２からのこのページングは、ローミング再試行手順によって達成されうる。ローミング再試行手順では、ＵＥ１０２が、ＭＳＣ２において、ＬＡ２への位置更新を実行し、この結果、ＭＳＣ２は、ＧＭＳＣ１３６に、ＬＡ２におけるＵＥ１０２の許可を通知する。ＧＭＳＣ１３６は、その後、ＭＳＣ１におけるページングをキャンセルし、ＭＳＣ２に対してＵＥ１０２をページするように要求しうる。
【００２９】
さらに、または、その代わりに、ＵＥ１０２が、ＬＡ２における位置更新手順を実行した場合、ＵＥ１０２が、ＭＳＣ１から受信したページの結果としてＬＡ２へ移動したことを、ＭＳＣ２が認識しないことがありうる。したがって、ＭＳＣ２は、位置更新手順を実行し、ラジオ・アクセス・ネットワーク（ＲＡＮ）ネットワーク１０５（例えば、ＣＳネットワーク）に対して接続を解放するように指示しうる。ＵＥ１０２は、ＬＴＥ対応のＣＳＦＢ  ＵＥであるので、ＣＳネットワーク１０５は、接続を解放しうる。したがって、ＣＳネットワーク１０５は、ＭＳＣ２が接続解放を要求すると、単純にＵＥをＬＴＥ１０１へリダイレクトする再選択ポリシーまたはリダイレクション・ポリシーを実施済でありうる。これが生じると、ＵＥ１０２は、（ＬＡ１における）ＭＳＣ１  Ｅ−ＵＴＲＡＮへ送り戻され、元々受信されたページが喪失されうる。このため、ローミング再試行手順が、ＬＡ２においてＵＥ１０２に再びページするという結果になるために、ＭＳＣ２は、ＵＥ１０２がＬＴＥへと不用意に戻されないことを確信しうる。言い換えれば、ＭＳＣ２は、位置更新手順を完了した後に、ＵＥへの接続を解放するように、ＣＳベースのネットワーク１０５に対して要求しない場合がありうる。代わりに、ページが到着した場合にＵＥ１０２が利用可能となるように、ＭＳＣ２は、接続の維持を可能としうる。このような態様では、ＭＳＣ２は、位置更新時間において、ＵＥ１０２が、ＬＡ２に再ルートされた、ＬＡ１におけるペンディングのページを有していることを認識しない場合がありうる。さらに注目すると、このような態様では、ＵＥ１０２は、位置更新要求メッセージにおいて「フォロー・オン要求」フラグを使用しない場合がありうる。なぜなら、フォロー・オン要求フラグは、ＵＥ１０２がまさにモバイル開始（ＭＯ）コールを開始しようとしていることをＭＳＣ２へ不適切に示しうるからである。よって、ＭＳＣ２は、到来する任意のページを音声メールに転送しうるか、または、コール元のパーティに、「ビジー・トーン」を示しうる。このうちのいくつかは、喪失されたＭＴページとなるであろう。ＵＥ１０２が、第２のＭＳＣ（例えば、ＭＳＣ２）においてページを受信できることを可能にする処理のさらなる説明が、図５、６Ａ、６Ｂを参照して提供される。
【００３０】
図２は、ＬＴＥネットワーク・アーキテクチャにおけるアクセス・ネットワークの例を例示する図解である。この例では、アクセス・ネットワーク２００は、多くのセルラ領域（セル）２０２に分割される。１または複数の低電力クラスのｅＮＢ２０８，２１２は、これらセル２０２のうちの１または複数とそれぞれオーバラップするセルラ領域２１０，２１４をそれぞれ有しうる。低電力クラスのｅＮＢ２０８，２１２は、フェムト・セル（例えば、ホームｅＮＢ（ＨｅＮＢ））、ピコ・セル、またはマイクロ・セルでありうる。高電力クラスまたはマクロｅＮＢ２０４は、セル２０２に割り当てられ、セル２０２内のすべてのＵＥ２０６のためにＥＰＣ１１０へアクセス・ポイントを提供するように構成されている。アクセス・ネットワーク２００のこの例では、中央コントローラは存在しないが、別の構成では、中央コントローラが使用されうる。ｅＮＢ２０４は、ラジオ・ベアラ制御、許可制御、モビリティ制御、スケジューリング、セキュリティ、および、サービス提供ゲートウェイ２１への接続を含むすべてのラジオ関連機能を担当する（例えば、図１を参照）。
【００３１】
アクセス・ネットワーク２００によって適用された変調および多元接続スキームは、展開されている特定の通信規格に依存して変わりうる。ＬＴＥアプリケーションでは、周波数分割デュプレクス（ＦＤＤ）と時分割デュプレクス（ＴＤＤ）との両方をサポートするために、ＤＬでＯＦＤＭが使用され、ＵＬでＳＣ−ＦＤＭＡが使用される。当業者であれば、後述する詳細記載から容易に認識されるように、本明細書で示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ（登録商標））、ＯＦＤＭＡを適用するイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００３２】
ｅＮＢ２０４は、ＭＩＭＯ技術をサポートする複数のアンテナを有しうる。ＭＩＭＯ技術を使用することにより、ｅＮＢ２０４は、空間多重化、ビームフォーミング、および送信ダイバーシティをサポートするために空間領域を活用できるようになる。
【００３３】
空間多重化は、同じ周波数で、異なるデータ・ストリームを同時に送信するために使用されうる。データ・ストリームは、データ・レートを高めるために単一のＵＥ２０６へ、全体的なシステム容量を高めるために複数のＵＥ２０６へ、送信されうる。これは、各データ・ストリームを空間的にプリコードし、空間的にプリコードされた各ストリームを、ダウンリンクで、異なる送信アンテナを介して送信することによって達成される。この空間的にプリコードされたデータ・ストリームは、異なる空間シグニチャを持つＵＥ（単数または複数）２０６に到着する。これによって、ＵＥ（単数または複数）２０６のおのおのは、ＵＥ２０６に向けられた１または複数のデータ・ストリームを復元できるようになる。アップリンクでは、おのおののＵＥ２０６が、空間的にプリコードされたデータ・ストリームを送信する。これによって、ｅＮＢ２０４は、空間的にプリコードされた各データ・ストリームのソースを識別できるようになる。
【００３４】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部において良好な有効通信範囲を達成するために、単一ストリーム・ビームフォーミング送信が、送信ダイバーシティと組み合わされて使用されうる。
【００３５】
図３は、本開示の態様にしたがう多元接続無線通信システムの実施形態を例示する図解を示す。実施では、アクセス・ポイント３００（ＡＰ）は、１つは３０４および３０６を含み、別の１つは３０８および３１０を含み、さらに別の１つは３１２および３１４を含む１または複数のアンテナ・グループを含む。図３では、２本のアンテナだけが各アンテナ・グループのために示されている。しかしながら、２より多い、または、２より少ないアンテナも、おのおののアンテナ・グループのために利用されうる。アクセス端末３１６（ＡＴ）はアンテナ３１２およびアンテナ３１４と通信しており、アンテナ３１２，３１４は、順方向リンクすなわちダウンリンク（ＤＬ）３２０によってアクセス端末３１６へ情報を送信し、逆方向リンクすなわちアップリンク（ＵＬ）３１８によってアクセス端末３１６から情報を受信する。アクセス端末３２２は、アンテナ３０６，３０８と通信しており、アンテナ３０６，３０８は、順方向リンクすなわちＤＬ３２６でアクセス端末３２２へ情報を送信し、逆方向リンクすなわちＵＬ３２４でアクセス端末３２２から情報を受信する。
【００３６】
本開示の態様では、周波数分割デュプレクス（ＦＤＤ）システムでは、通信リンク３１８，３２０，３２４，３２６は、通信のために異なる周波数を使用しうる。例えば、順方向リンクすなわちＤＬ３２０は、逆方向リンクすなわちＵＬ３１８によって利用されるものとは異なる周波数を使用しうる。
【００３７】
本開示の態様では、通信するように設計された領域および／またはアンテナのおのおののグループは、アクセス・ポイントのセクタと称されうる。１つの例では、おのおののアンテナ・グループは、アクセス・ポイント３００によってカバーされる領域のセクタ内の端末にアクセスするために通信するように設計される。
【００３８】
順方向リンクすなわちＤＬ３２０，３２６による通信では、アクセス・ポイント３００の送信アンテナは、別のアクセス端末３１６，３２２のための順方向リンクすなわちダウンリンク３２０，３２６の信号対雑音比を改善するために、ビームフォーミングを利用する。さらに、有効範囲領域にわたってランダムに散在するアクセス端末へ送信するためにビームフォーミングを利用するアクセス・ポイントは、全てのアクセス端末へ単一のアンテナによって送信するアクセス・ポイントよりも、近隣のセル内のアクセス端末に対して少ない干渉しかもたらさない。
【００３９】
本開示の態様によれば、アクセス・ポイントは、端末と通信するために利用される固定局を備えることができ、アクセス・ポイント（ＡＰ）、ノードＢ（ＮＢ）、イボルブド・ノードＢ（ｅＮＢ）、またはその他のいくつかの用語で称されうる。アクセス端末はまた、アクセス端末（ＡＴ）、ユーザ機器（ＵＥ）、無線通信デバイス、端末、またはその他いくつかの専門用語として称されうる。さらに、アクセス・ポイントは、マクロセル・アクセス・ポイント、フェムトセル・アクセス・ポイント、ピコセル・アクセス・ポイント等でありうる。
【００４０】
さまざまな実施形態では、本明細書において説明するように、１または複数のセグメント、または、１または複数の拡張キャリアが、通常のキャリアへリンクされ、合成帯域幅となる。ＵＥは、これによって、ｅＮＢへ情報を送信し、および／または、ｅＮＢから情報を受信しうる。
【００４１】
後述する詳細説明では、アクセス・ネットワークのさまざまな態様が、ダウンリンク（ＤＬ）においてＯＦＤＭをサポートし、アップリンク（ＵＬ）においてＳＣ−ＦＤＭＡをサポートするＭＩＭＯシステムを参照して説明されるだろう。ＯＦＤＭは、ＯＦＤＭシンボル内の多くのサブキャリアにおいてデータを変調するスペクトル拡散技術である。サブキャリアは、正確な周波数で、間隔を置かれている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。アップリンクは、高いピーク対平均電力比（ＰＡＲＲ）を補償するために、ＤＦＴ拡散ＯＦＤＭ信号の形態でＳＣ−ＦＤＭＡを使用しうる。
【００４２】
本開示の態様にしたがって、ＤＬ送信とＵＬ送信とをサポートするために、さまざまなフレーム構造が利用されうる。ＤＬフレーム構造の例が、図４Ａを参照して示される。しかしながら、当業者が容易に認識するように、どの特定のアプリケーションのフレーム構造も、任意の数の要因に依存して異なりうる。この例では、フレーム（１０ミリ秒）が、１０の等しいサイズのサブフレームに分割される。おのおののサブフレームは、２つの連続する時間スロットを含む。
【００４３】
１つの実施では、おのおのがリソース・ブロック（ＲＢ）を含む２つの時間スロットを表すために、リソース・グリッドが利用されうる。リソース・グリッドは、複数のリソース要素（ＲＥ）に分割される。ＬＴＥでは、ＲＢは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素（ＲＥ）を含んでいる。Ｒ４０２，４０４として示されるような、ＲＥのうちのいくつかは、ＤＬ基準信号（ＤＬ−ＲＳ）を含みうる。ＤＬ−ＲＳは、（しばしば、共通ＲＳとも称されうる）セル特有のＲＳ（ＣＲＳ）４０２と、ＵＥ特有のＲＳ（ＵＥ−ＲＳ）４０４とを含む。ＵＥ−ＲＳ４０４は、対応する物理ダウンリンク共有チャネル（ＰＤＳＣＨ）がマップされるＲＢにおいてのみ送信されうる。各ＲＥによって伝送されるビット数は、変調スキームに依存しうる。このため、ＵＥが受信するＲＢが増加し、変調スキームが高くなると、ＵＥのためのデータ・レートが高くなる。
【００４４】
図４Ｂに示すように、ＵＬフレーム構造４２０の例が、ＬＴＥにおけるＵＬのためのフォーマットの実施形態で提供される。ＵＬのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるＲＢは、制御情報の送信のために、ＵＥへ割り当てられうる。データ・セクションは、制御セクションに含まれていないＲＢを含みうる。図４Ｂにおける設計の結果、データ・セクションは、連続するサブキャリアを含むようになる。これによって、単一のＵＥに、データ・セクションにおいて連続するサブキャリアのうちの１または複数が割り当てられるようになる。
【００４５】
１つの実施では、ＵＥは、ｅＮＢへ制御情報を送信するために、制御セクションにおいてＲＢ４３０ａ，４３０ｂを割り当てられうる。ＵＥはまた、ｅＮＢへデータを送信するために、データ・セクションにおいてＲＢ４４０ａ，４４０ｂを割り当てられうる。ＵＥは、制御セクションにおいて割り当てられたＲＢで、物理アップリンク制御チャネル（ＰＵＣＣＨ）で制御情報を送信しうる。ＵＥは、データ・セクションにおいて割り当てられたＲＢで、物理アップリンク共有チャネル（ＰＵＳＣＨ）で、データのみ、または、データと制御情報との両方を送信しうる。ＵＬ送信は、サブフレームからなる両スロットに及び、図４Ｂに示すような方式で、周波数を越えてホップしうる。
【００４６】
本開示の態様では、図４Ｂに示すように、物理ランダム・アクセス・チャネル（ＰＲＡＣＨ）４５０における初期システム・アクセスの実行と、ＵＬ同期の達成とのために、ＲＢのセットが利用されうる。ＰＲＡＣＨ４５０は、ランダム・シーケンスを伝送するが、どのＵＬデータ／シグナリングも伝送できないように構成されている。ランダム・アクセス・プリアンブルはおのおの、６つの連続するＲＢに対応する帯域幅を占有する。開始周波数は、ネットワークによって指定されうる。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送され、ＵＥは、フレーム（１０ミリ秒）毎に１回のＰＲＡＣＨ試行しか行わないことがありうる。
【００４７】
本開示の態様では、ＬＴＥにおけるＰＵＣＣＨ、ＰＵＳＣＨ、およびＰＲＡＣＨは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されていることが認識されるべきである。
【００４８】
ラジオ・プロトコル・アーキテクチャは、特定のアプリケーションに依存してさまざまな形態をとりうる。ＬＴＥシステムに関する例が、図４Ｃを参照して示される。本開示の態様では、図４Ｃは、ユーザ・プレーンおよび制御プレーンのためのラジオ・プロトコル・アーキテクチャの例を例示する図解である。図４Ｃに示すように、ＵＥおよびｅＮＢのためのラジオ・プロトコル・アーキテクチャが、３つのレイヤ、すなわち、レイヤ１（Ｌ１）、レイヤ２（Ｌ２）、およびレイヤ３（Ｌ３）を用いて示される。Ｌ１は、最下部レイヤであり、さまざまな物理レイヤ信号処理機能を実施する。本明細書において、Ｌ１は、物理レイヤ４６６と称される。Ｌ２  ４６８は、物理レイヤ（Ｌ１）４６６上にあり、物理レイヤ（Ｌ１）４６６を介したＵＥとｅＮＢとの間のリンクを担当する。
【００４９】
ユーザ・プレーンでは、Ｌ２レイヤ４６８は、媒体アクセス制御（ＭＡＣ）サブレイヤ４７０と、ラジオ・リンク制御（ＲＬＣ）サブレイヤ４７２と、パケット・データ収束プロトコル（ＰＤＣＰ）サブレイヤ４７４とを含む。これらは、ネットワーク側におけるｅＮＢにおいて終端する。図示されていないが、ＵＥは、ネットワーク側におけるＰＤＮゲートウェイ１１８（例えば、図１参照）で終端するネットワーク・レイヤ（例えば、ＩＰレイヤ）を含む、Ｌ２レイヤ４６８上のいくつかの上部レイヤと、（例えば、遠くのエンドＵＥ、サーバ等のような）接続の他の側において終端するアプリケーション・レイヤとを有しうる。
【００５０】
本開示の態様では、ＰＤＣＰサブレイヤ４７４は、異なるラジオ・ベアラと論理チャネルとの間の多重化を提供する。ＰＤＣＰサブレイヤ４７４はまた、ラジオ送信オーバヘッドを低減するための上部レイヤ・データ・パケットのヘッダ圧縮、データ・パケットを暗号化することによるセキュリティ、および／または、ＵＥのｅＮＢ間でのハンドオーバ・サポートを提供する。ＲＬＣサブレイヤ４７２は、上部レイヤ・データ・パケットのセグメント化および再アセンブル、喪失したデータ・パケットの再送信、および／または、ハイブリッド自動反復要求（ＨＡＲＱ）による順不同な受信を補償するためのデータ・パケットの並べ替えを提供する。ＭＡＣサブレイヤ４７０は、論理チャネルと伝送チャネルとの間の多重化を提供する。ＭＡＣサブレイヤ４７０は、１つのセル内のさまざまなラジオ・リソース（例えば、ＲＢ）を、ＵＥ間に割り当てることを担当する。ＭＡＣサブレイヤ４７０は、ＨＡＲＱ動作を担当する。
【００５１】
制御プレーンでは、ＵＥおよびｅＮＢのためのラジオ・プロトコル・アーキテクチャは、制御プレーンのためのヘッダ圧縮機能が無いことを除いて、物理レイヤ４６６およびＬ２レイヤ４６８について実質的に同じである。制御プレーンはまた、レイヤ３にラジオ・リソース制御（ＲＲＣ）サブレイヤ４７６を含む。ＲＲＣサブレイヤ４７６は、ラジオ・リソース（すなわち、ラジオ・ベアラ）を取得することと、ＲＲＣシグナリングを用いてｅＮＢとＵＥとの間に下部レイヤを設定することと、を担当する。
【００５２】
図５は、本開示の態様にしたがうさまざまな方法を例示する。説明を単純にする目的で、これら方法は、本技術にしたがって、一連の動作として示され説明されているが、権利主張される主題は、いくつかの動作が本明細書で示され記載されたものとは異なる順序で、および／または、他の動作と同時に生じうるので、これら動作の順序によって限定されないことが理解され認識されるべきである。例えば、当業者であれば、これら方法はこの代わりに、例えば状態図におけるように、一連の相互関連する状態またはイベントとして表されうることを理解し認識するだろう。さらに、権利主張される主題にしたがって方法を実現するために、必ずしも例示された全ての動作が必要される訳ではない。それに加えて、以下に開示される方法および本明細書全体にわたる方法は、これら方法をコンピュータへ伝送および転送することを容易にするために、製造物品に格納されることが可能であることが認識されるべきである。本明細書で使用される用語である製造物品は、任意のコンピュータ読取可能なデバイス、キャリア、または媒体からアクセスすることが可能なコンピュータ・プログラムを含むことが意図される。
【００５３】
図５は、本開示の態様にしたがって、ＵＥと複数のセルとを含みうるシステム５００を例示する図解を示す。５０２では、デバイスが第２のセルにアクセスし、この結果、ルーティング・エリアが更新されうると判定されうる。実施では、ロケーション・エリア（ＬＡ）の変化は、ルーティング・エリア（ＲＡ）の変化とともに含まれうる。なぜなら、ＲＡ識別子は、ロケーション・アイデンティティ（ＩＤ）のサブセットでありうるからである。このため、ＬＡ更新が有益である状況にデバイスが位置されている場合には常に、デバイスは、ＲＡ更新をも実行しうる。さらに、デバイスが、ＮＭＯ  Ｉにおいて動作しているＵＴＲＡＮネットワークにおいて、結合ＲＡ／ＬＡ更新手順を用いて両手順を行うことを選択しうるか、またはＵＥが、ＮＷＯ  ＩＩネットワークにおいてＬＡ更新手順とＲＡ更新手順とを個別に（しかし並行して）実行する。５０４では、セルにおける変化が、ＭＴ  ＣＳＦＢ処理によるものであるか否かが判定されうる。実施では、ＬＴＥネットワークにキャンプしたデバイスが、音声コールを処理するために、回路切換（ＣＳ）ネットワークとの接続を維持しうる。
【００５４】
本開示の態様では、５０４において、セル変更が、ＭＴ  ＣＳＦＢ処理によるものであると判定された場合、５０６において、ＰＳデータ・ペンディング・フラグが、ＲＡ更新（ＲＡＵ）メッセージにおいてアクティブ化されうる（例えば、「真」に設定されうる）。実施では、ＰＳデータ・ペンディング・フラグは、フォロー・オン手続フラグでありうる。別の実施では、ＵＥが、Ｅ−ＵＴＲＡＮセルでＭＴ  ＣＳページを受信したことに応じて、ＵＴＲＡＮ／ＧＥＲＡＮセルへ移動したのであれば、ＵＥは、ＲＡＵメッセージにおけるフォロー・オン処理フラグを設定しうる。
【００５５】
一方、本開示の別の態様では、５０４において、セル変更が、ＭＴ  ＣＳＦＢ処理によるものではないと判定された場合、５０８において、デバイスが、ペンディングのアップリンク・データ・パケットを有しているか否かが判定される。実施では、ＵＥがペンディングのアップリンク・データを有している場合、フォロー・オン処理フラグが、ＲＡ更新要求において使用されうる。フォロー・オン処理フラグは、前述したフォロー・オン要求フラグとは異なりうる。フォロー・オン手順は、ＭＳＣ２に到達しないかもしれないが、ＰＳ領域におけるＳＧＳＮに対して、アップリンク・ユーザ・データを予期して接続を維持するように指示するために、例えばＳＧＳＮのようなＰＳコア・エンティティに送信されうる。
【００５６】
デバイスが、ＲＡＵメッセージ内にフォロー・オン処理フラグを含んでいる場合、このフラグは、ネットワークに対して、ＲＡＮレベル接続を維持するように指示する。なぜなら、ＳＧＳＮは、アップリンク・ユーザ・データを予期して、ＲＡＮに対して、この接続を解放するように指示しないからである。これは、ＧＭＳＣが、ページがＵＴＲＡＮ自身によってＵＥへ配信されるようにＭＳＣ２へ再ルートするための時間を考慮し、これによって、ＭＴ  ＣＳＦＢコールの信頼性を改善する。５０８において、デバイスが、ペンディングのデータ・パケットを有していると判定されると、５０６において、ＲＡ更新メッセージにおいて、ＰＳデータ・ペンディング・フラグがアクティブ化されうる。実施では、ネットワークがネットワーク動作モードＩ（ＮＭＯ  Ｉ）で動作している場合、ＰＳデータ・ペンディング・フラグが、結合ＲＡＵ／ＬＡＵメッセージに含まれうる。別の実施では、ＰＳデータ・ペンディング・フラグが、ＮＭＯ  ＩＩにおいて個別のＲＡＵと関連付けられうる。一方、５０８において、ペンディングのＰＳデータ・パケットが無いと判定されると、５１０において、ＲＡ更新が、ＰＳデータ・ペンディング・フラグがアクティブではない（例えば、偽に設定された）状態で送信されうる。
【００５７】
図６Ａおよび図６Ｂは、本開示の態様にしたがって、ピア・トゥ・ピア通信をサポートするように動作可能な通信システム６００におけるさまざまなコール・フローを例示する図を示す。通信システム６００は、ＵＥ６０２、ＭＳＣ１  ６０４、ＭＳＣ２  ６０６、およびＧＭＳＣ  ６０６を含みうる。図６Ａおよび図６Ｂを参照して記載される処理フローは、例えばＵＴＲＡＮ、ＧＥＲＡＮ等のような別のさまざまなネットワークにおいて実施されうることが認識されるべきである。
【００５８】
図６Ａに示すように、６１０において、ペンディングのメッセージが、ＣＳＦＢ処理に関連付けられたＵＥ６０２によって受信される。実施では、ＵＥ６０２がＬＴＥセルにキャンプ・オンされ、ＭＳＣ１  ６０４とのＣＳＦＢのために確立されたルーティング・エリア・ネットワーク（ＲＡＮ）接続を有しうる。別の実施では、このページは、ＧＳＭＣ６０８から受信され、ＭＳＣ１  ６０４によって、ＵＥ６０２へ配信されうる。６１２では、ＵＥ６０２は、このページに応答できるようになる前に、異なるロケーションＬＡ２のセルにアクセスしていると判定されうる。例えば、ＵＥ１０２が、ＬＡ２においてロケーション更新手順を実行した場合、ＭＳＣ２  ６０６は、ＵＥ６０２がＭＳＣ１  ６０４からページを受信した結果として、ＬＡ２へ移動したことを認識していない場合がありうる。言い換えれば、ＭＳＣ１  ６０４からページを受信した時間と、ＣＳベースのセルへアクセスした時間との間に、ＵＥ６０２は、ＣＳベースのセルがＭＳＣ２  ６０６にサポートされるように移動する場合がある。
【００５９】
図６Ａに示すように、６１４では、ＵＥ６０２が、ＬＡ２にサービス提供しているＭＳＣ２  ６０６と通信しうる。実施では、この通信は、フォロー・オン処理フラグがアクティブ化された状態のルーティング・エリア更新（ＲＡＵ）メッセージを含みうる。さらに、ＲＡＵメッセージは、ＳＧＳＮ６０５に到達する。これにより、フォロー・オン処理フラグのみがＳＧＳＮ６０５に到達する。ＲＡＵメッセージが、結合ＲＡ／ＬＡ更新手順を実行するために使用されている場合、ＳＧＳＮ６０５は、ＭＳＣ２  ６０６と、ＵＥ６０２に関する位置更新を実行している。一方、ＲＡＵが、結合ＲＡ／ＬＡ更新手順を実行しておらず、ＲＡのみを更新している場合、ＵＥ６０２は、並行して、ＬＡ更新手順を分離する。デバイス（例えば、ＵＥ６０２）が、ＲＡＵメッセージに、フォロー・オン処理フラグを含んでいる場合、フォロー・オン処理フラグは、ネットワークに対して、ＲＡＮレベル接続を維持するように指示する。なぜなら、ＳＧＳＮ６０５は、フォロー・オン処理フラグによって示されるアップリンク・ユーザ・データを予期して、ＲＡＮに対して、接続を解放するように指示しないからである。これは、ＧＭＳＣ６０８が、ページがＵＴＲＡＮ自身によってＵＥ６０２へ配信されるようにＭＳＣ２  ６０６へ再ルートするための時間を考慮し、これによって、ＭＴ  ＣＳＦＢコールの信頼性を改善する。
【００６０】
図６Ａに示すように、６１６において、ローミング再試行手順が実行されうる。ここでは、ＭＳＣ１  ６０４、ＭＣＳ２  ６０６、およびＧＭＳＣ  ６０８が、ＵＥ６０２が現在ＭＳＣ２  ６０６に関連付けられていることを示すメッセージを交換する。実施では、このメッセージは、ローミング再試行手順を含みうる。６１８では、ページング・メッセージが、ＭＳＣ２  ６０６を介してＵＥ６０２へ送信されるように、再ルートされうるとＧＭＳＣ６０８が判定する。６２０では、ＧＭＳＣ６０８が、ＭＳＣ２  ６０６を介してＵＥ６０２へページング・メッセージを送信する。その後、６２２において、ＭＳＣ２  ６０６およびＵＥ６０２は、ＭＴ  ＣＳＦＢセットアップ手順を実行し、コールが確立されうる。
【００６１】
本開示の態様では、６２０におけるページングはオプションでありうる。例えば、図６Ｂに示すように、６１６において、ローミング再試行手順が実行されうる。ここでは、ＭＳＣ１  ６０４、ＭＳＣ２  ６０６、およびＧＭＳＣ  ６０８が、ＵＥ６０２がＭＳＣ２  ６０６に関連付けられていることを示すメッセージを交換する。６１８では、ＧＭＳＣ  ６０８は、ページング・メッセージが、ＵＥ６０２へ再ルートされる必要はないと判定しうる。なぜなら、ＧＭＳＣ６０８は、ＭＳＣ１  ６０４へのＵＥ６０２の接続が解放され、ＭＳＣ２  ６０６へのＵＥ６０２の接続が確立されていると判定したからである。したがって、実施では、ページング・メッセージは、図６Ａに示すように記載された方式で、ＭＳＣ２  ６０６を介してＵＥ６０２へ送信する必要はない。しかしながら、別の実施では、６２０において、ＭＳＣ２  ６０６がＵＥ６０２へ接続されていることを確認するために、ＧＭＳＣ６０８が、ＭＳＣ２  ６０６へページング・メッセージを送信しうる。その後、６２２において、ＭＳＣ２  ６０６とＵＥ６０２とは、ＭＴ  ＣＳＦＢセットアップ手順を実行し、コールが確立されうる。
【００６２】
図７は、本開示の態様にしたがう、処理システム７０６およびメモリ７０８を適用する装置７００のハードウェア実装の実施形態を例示する図解である。さまざまな実施において、この装置７００は、図１の無線通信デバイスのうちの１または複数の例を備える。図７に示すように、無線通信デバイス７００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機７０２を備えうる。受信機７０２は、受信したシンボルを復調し、これらをチャネル推定のために処理システム７０６へ提供する復調器７０４を備えうる。処理システム７０６は、受信機７０２によって受信された情報を分析、および／または、送信機７２０による送信のための情報を生成するように構成された１または複数のプロセッサを備えうる。実施では、処理システム７０６は、無線通信デバイス７００のうちの１または複数の構成要素を制御するように構成された１または複数のプロセッサを備えうる。別の実施では、処理システム７０６は、受信機７０２によって受信された情報の分析、送信機７２０による送信のための情報の生成、および／または、無線通信デバイス７００のうちの１または複数の構成要素の制御、を行うように構成された１または複数のプロセッサを備えうる。
【００６３】
無線通信デバイス７００は、プロセッサ７０６に動作可能に接続されたメモリ７０８を備えうる。このメモリ７０８は、送信されるべきデータと、受信したデータと、利用可能なチャネルに関連する情報と、分析された信号および／または干渉強度に関連付けられたデータと、割り当てられたチャネル、電力、レート等に関連する情報と、チャネルの推定およびチャネルを介した通信のために適したその他任意の情報とを格納するように構成されうる。このメモリ７０８はさらに、（例えば、パフォーマンス・ベース、キャパシティ・ベース等での）チャネルの推定および／または利用に関連付けられたアルゴリズムおよび／またはプロトコルを格納しうる。
【００６４】
さらに、プロセッサ７０６は、デバイスが、モバイル終端（ＭＴ）ＣＳフォールバック（ＣＳＦＢ）処理を実施するために、第１の位置および第１のセルから、第２の位置にある回路切換え（ＣＳ）セルへ切り換わっていると判定する手段と、通信のためのペンディングのデータ・パケットを示すフラグを含むルーティング・エリア（ＲＡ）更新メッセージを生成する手段と、生成されたＲＡ更新メッセージを送信する手段と、を提供しうる。
【００６５】
本明細書に記載されたデータ・ストア（例えば、メモリ７０８）構成要素は、揮発性メモリまたは不揮発性メモリであるか、あるいは、揮発性メモリと不揮発性メモリとの両方を含みうることが認識されるべきである。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ７０８は、限定される訳ではないが、これらおよびその他任意の適切なタイプのメモリを備えうる。
【００６６】
実施では、無線通信デバイス７００はさらに、ＣＳベースのセルが、ＬＴＥサービス提供セルとは異なるロケーティング・エリアのＭＳＣによってサービス提供されるように、無線通信デバイス７００のＭＴ  ＣＳＦＢをイネーブルすることを容易にするためのＣＳＦＢモジュール７３０を含みうる。実施では、ＣＳＦＢモジュール７３０は、ルーティング・エリア更新モジュール７３２およびロケーティング・エリア更新モジュール７３４を含みうる。ＣＳＦＢモジュール７２０は、ロケーティング・エリア更新モジュール７３４を用いて、ＬＡにおける変更、および、ルーティング・エリア更新モジュール７２３を用いて、ルーティング・エリアＲＡにおける変更を実施することが可能でありうる。実施では、ＲＡ識別子が、ロケーション・アイデンティティのサブセットであるので、ＲＡが意味されうる。このため、ＬＡ更新が有益な状況にデバイスが位置している場合には常に、デバイスは、ＲＡ更新をも実行しうる。さらに、無線通信デバイス７００が、ＮＭＯ  Ｉで動作しているＵＴＲＡＮネットワークにおいて、結合ＲＡ／ＬＡ更新手順を用いて両手順を行うことを選択しうるか、または、ＵＥが、ＮＭＯ  ＩＩネットワークにおいてＬＡ更新手順とＲＡ更新手順とを個別に（しかし、並行して）実行する。３０４では、セルにおける変化が、ＭＴ  ＣＳＦＢ処理によるか否かが判定される。
【００６７】
実施では、無線通信デバイス７００は、ユーザ・インタフェース７４０を含みうる。ユーザ・インタフェース７４０は、無線通信デバイス７００への入力を生成するための入力メカニズム７４２と、無線通信デバイス７００のユーザによって使用されるための情報を生成するための出力メカニズム７４２とを含みうる。例えば、入力メカニズム７４２は、例えばキーまたはキーボード、マウス、タッチ・スクリーン・ディスプレイ、マクロフォン等のようなメカニズムを含みうる。例では、出力メカニズム７４４は、ディスプレイ、オーディオ・スピーカ、触覚型フィードバック・メカニズム、パーソナル・エリア・ネットワーク（ＰＡＮ）トランシーバ等を含みうる。例示された実施形態では、出力メカニズム７４４は、画像フォーマットまたはビデオ・フォーマットであるメディア・コンテンツを提供するように動作可能なディスプレイ、または、オーディオ・フォーマットであるメディア・コンテンツを提供するためのオーディオ・スピーカを含みうる。
【００６８】
図８は、本開示の態様にしたがって、無線通信システムにおいて、回路切換フォールバック（ＣＳＦＢ）の信頼性を改善する方法のための処理フローの実施形態を例示する図解８００である。
【００６９】
図８に示すように、この方法は、８１０において、モバイル終端回路切換フォールバック処理を実施するために、デバイスが、第１のセルおよび第１の位置から、第２のセルおよび第２の位置へ切り換わっていることを判定するように構成されている。方法は、８１２において、通信のためのペンディングのデータ・パケットを示すフラグを含むルーティング・エリア更新メッセージを生成するように構成されている。方法は、８１４において、生成されたルーティング・エリア更新メッセージを送信するように構成されている。
【００７０】
実施では、デバイスは、第１のセルに関連付けられた第１のモバイル切換センタ（ＭＳＣ）と、第２のセルに関連付けられた第２のＭＳＣと通信するように構成されたユーザ機器（ＵＥ）を備える。デバイスは、通信のためのペンディングのデータ・パケットが存在するとフラグが示す場合であっても、通信のためのペンディングのデータ・パケットを有していない場合がありうる。
【００７１】
実施では、この方法は、第２のセルによるデバイスへの接続を解放することと、第２のセルを介してデバイスへページング・メッセージを送信することと、デバイスの第２のセルへの接続を確立することと、コール・セットアップ手順を実行することと、のために構成されうる。
【００７２】
実施では、この方法は、第２のセルによるデバイスへの接続の解放をある期間遅らせることと、コール・セットアップ手順を実行することと、のために構成されうる。
【００７３】
実施では、この方法は、第１のセルに関連付けられた第１のＭＳＣと、第２のセルに関連付けられた第２のＭＳＣと、ゲートウェイＭＳＣ（すなわち、ＧＭＳＣ）とのうちの少なくとも１つと、１または複数のローミング再試行メッセージを交換するように構成されうる。１または複数のローミング再試行メッセージは、デバイスが第２のＭＳＣに関連付けられていることを示しうる。第２のＭＳＣは、ペンディングのモバイル終端（ＭＴ）コールを示すインジケーションを受信しうる。
【００７４】
図９は、本開示の態様にしたがって、無線通信を容易にするように構成された装置（例えば、図７の装置７００）の機能の実施形態を例示する図解９００である。
【００７５】
図９に示すように、この装置は、モバイル終端回路切換フォールバック処理を実施するために、デバイスが、第１のセルおよび第１の位置から、第２のセルおよび第２のセルへ切り換わっていることを判定するように構成されたモジュール９１０を含む。この装置は、通信のためのペンディングのデータ・パケットを示すフラグを含むルーティング・エリア更新メッセージを生成するように構成されたモジュール９１２を含む。この装置は、生成されたルーティング・エリア更新メッセージを送信するように構成されたモジュール９１４を含む。この装置は、前述したフロー・チャートにおけるステップのおのおのを実行する追加のモジュールを含みうる。このため、前述したフロー・チャートのおのおののステップは、このモジュールによって実行され、装置は、それらのモジュールのうちの１または複数を含みうる。
【００７６】
実施では、このデバイスは、第１のセルに関連付けられた第１のモバイル切換センタ（ＭＳＣ）、および、第２のセルに関連付けられた第２のＭＳＣと通信するように構成されたユーザ機器（ＵＥ）を備える。デバイスは、通信のためのペンディングのデータ・パケットが存在するとフラグが示す場合であっても、通信のためのペンディングのデータ・パケットを有していない場合がありうる。
【００７７】
実施では、この装置は、第２のセルによるデバイスへの接続を解放するように構成されたモジュールと、第２のセルを介してデバイスへページング・メッセージを送信するように構成されたモジュールと、第２のセルへのデバイスの接続を確立するように構成されたモジュールと、コール・セットアップ手順を実行するように構成されたモジュールとを含みうる。
【００７８】
実施では、この装置は、第２のセルによるデバイスへの接続の解放をある期間遅らせるように構成されたモジュールと、コール・セットアップ手順を実行するように構成されたモジュールと、を含みうる。
【００７９】
実施では、この装置は、第１のセルに関連付けられた第１のＭＳＣと、第２のセルに関連付けられた第２のＭＳＣと、ゲートウェイＭＳＣ（すなわち、ＧＭＳＣ）とのうちの少なくとも１つと、１または複数のローミング再試行メッセージを交換するように構成されたモジュールを含みうる。１または複数のローミング再試行メッセージは、デバイスが、第２のＭＳＣに関連付けられていることを示しうる。第２のＭＳＣは、ペンディングのモバイル終端（ＭＴ）コールを示すインジケーションを受信しうる。
【００８０】
図７に示すように、構成では、無線通信のために構成された装置７００は、モバイル終端回路切換フォールバック処理を実施するために、デバイスが、第１のセルおよび第１の位置から、第２のセルおよび第２のセルへ切り換わっていることを判定する手段と、通信のためのペンディングのデータ・パケットを示すフラグを含むルーティング・エリア更新メッセージを生成する手段と、生成されたルーティング・エリア更新メッセージを送信する手段と、を提供するように構成された処理システム７０６を備える。
【００８１】
１つの実施では、デバイスは、第１のセルに関連付けられた第１のモバイル切換センタ（ＭＳＣ）、および、第２のセルに関連付けられた第２のＭＳＣと通信するように構成されたユーザ機器（ＵＥ）を備える。デバイスは、通信のためのペンディングのデータ・パケットが存在するとフラグが示す場合であっても、通信のためのペンディングのデータ・パケットを有していない場合がありうる。
【００８２】
実施では、処理システム７０６は、第２のセルによるデバイスへの接続を解放するための手段と、第２のセルを介してデバイスへページング・メッセージを送信するための手段と、第２のセルへのデバイスの接続を確立するための手段と、コール・セットアップ手順を実行するための手段と、を提供するように構成されうる。
【００８３】
実施では、処理システム７０６は、第２のセルによるデバイスへの接続の解放をある期間遅らせるための手段と、コール・セットアップ手順を実行するための手順と、を提供するように構成されうる。
【００８４】
１つの実施では、処理システム７０６は、第１のセルに関連付けられた第１のＭＳＣと、第２のセルに関連付けられた第２のＭＳＣと、ゲートウェイＭＳＣ（すなわち、ＧＭＳＣ）とのうちの少なくとも１つと、１または複数のローミング再試行メッセージを交換するための手段を提供するように構成されうる。１または複数のローミング再試行メッセージは、デバイスが、第２のＭＳＣに関連付けられていることを示しうる。第２のＭＳＣは、ペンディングのＭＴコールを示すインジケーションを受信しうる。
【００８５】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかである  コンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、格納されたさまざまなデータ構造を有するさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００８６】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末（単数または複数）と通信するために利用され、アクセス・ポイント、ノードＢ、あるいはその他いくつかの用語で称されうる。
【００８７】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを適用する。」という句は、以下の例のうちの何れによっても満足される。ＸはＡを適用する。ＸはＢを適用する、あるいは、ＸはＡとＢとの両方を適用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００８８】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用されうる。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）およびＣＤＭＡのその他の変形を含んでいる。さらに、ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。さらに、ｃｄｍａ２０００およびＵＭＢは、「第３世代パートナシップ計画２」（３ＧＰＰ２）と命名された組織からの文書に記載されている。さらに、このような無線通信システムは、しばしばペアをなさない無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００８９】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた理解および認識されるべきである。
【００９０】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサとしてマイクロ・プロセッサを用いることが可能でありうるが、代わりに、従来技術によるプロセッサ、コントローラ、マイクロコントローラ、あるいはステート・マシンを用いることも可能でありうる。実施では、プロセッサはまた、例えば、ＤＳＰとマイクロ・プロセッサとの組み合わせや、複数のマイクロ・プロセッサの組み合わせ、ＤＳＰコアまたはその他任意のこのような構成と連携された１または複数のマイクロ・プロセッサの組み合わせのような、計算デバイスの組み合わせとして実現されうる。別の実施では、少なくとも１つのプロセッサは、前述したステップおよび／または動作のうちの１または複数を実行するように動作可能な１または複数のモジュールを備えうる。
【００９１】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの態様では、プロセッサと記憶媒体とが、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。さらに、いくつかの態様では、方法またはアルゴリズムのステップおよび／または動作は、機械読取可能な媒体および／またはコンピュータ読取可能な媒体上の１または任意の組み合わせ、または、コードおよび／または命令群のセットとして存在する。これらは、コンピュータ・プログラム製品に組み込まれうる。
【００９２】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能な媒体に格納されうるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。前述した組み合わせもまた、コンピュータ読取可能な媒体の範囲内に含まれるべきである。
【００９３】
先の開示は例示的な態様について議論しているが、記載された態様、および／または、特許請求の範囲によって定義された態様のスコープから逸脱することなく、さまざまな変形および修正がなされうることが注目されるべきである。さらに、記載された態様の要素および／または態様は、単数形で記載または権利主張されているが、単数に対する限定が明確に述べられていないのであれば、複数が考慮される。それに加えて、それ以外であると述べられていないのであれば、任意の態様のうちのすべてまたは一部が、その他任意の態様のすべてまたは一部とともに利用される。
【図１】
2013546207.tif 000003
【図２】
2013546207.tif 000004
【図３】
2013546207.tif 000005
【図４Ａ】
2013546207.tif 000006
【図４Ｂ】
2013546207.tif 000007
【図４Ｃ】
2013546207.tif 000008
【図５】
2013546207.tif 000009
【図６Ａ】
2013546207.tif 000010
【図６Ｂ】
2013546207.tif 000011
【図７】
2013546207.tif 000012
【図８】
2013546207.tif 000013
【図９】
2013546207.tif 000014
【国際調査報告】
2013546207.tif 000015
2013546207.tif 000016